(57)【要約】【課題】現場での施工手間を極力軽減し、工期の短縮が図れ、費用負担も少なく、且つ、堆肥舎、簡易車庫、倉庫等の建築物としての機能と強度を十分に備えた簡易建築物を提供すること。【解決手段】予め工場生産される壁パネルを用いて組み立てられる簡易建築物において、壁パネルは断面形状が略Ｌ字状若しくは略逆Ｔ字状を呈し、この壁パネル２Ａ、２Ｂ側縁同士を接続して建築物の壁面部５ａ、５ｂ、５ｃを形成し、該壁面部５ａ、５ｂ、５ｃ上縁に小屋組み部６を載置・接続し、小屋組み部６上に屋根部７を形成してある。【選択図】　図２
2004143843.tif 000002
【特許請求の範囲】
【請求項１】
予め工場生産される壁パネルを用いて組み立てられる簡易建築物において、壁パネルは断面形状が略Ｌ字状若しくは略逆Ｔ字状を呈し、この壁パネル同士を接続して建築物の壁面部を形成し、該壁面部上縁に小屋組み部を載置して接続し、小屋組み部上に屋根部を形成してあることを特徴とする簡易建築物。
【請求項２】
小屋組み部が屋根部と予め組み付けられた一体化構造であることを特徴とする請求項１記載の簡易建築物。
【請求項３】
小屋組み部がトラス構造であることを特徴とする請求項１または２記載の簡易建築物。
【請求項４】
小屋組み部のトラス構造が平面トラス構造であることを特徴とする請求項３記載の簡易建築物。
【発明の詳細な説明】
【０００１】
【発明の属する技術分野】
本発明は、堆肥舎、簡易車庫、倉庫（物置）等として利用することが想定される簡易建築物に関する。
【０００２】
【従来の技術】
近年、堆肥舎、車庫、倉庫等のような大型の建築物においては、より簡単に短期間で且つ低いコストにより構築可能であることが要望されている。
このような建築物を構築する方法として、従来はコンクリート成形用型枠を建築物の形に現地で組み立て、これに生コンクリートを流し込み、硬化させることにより建築物を構築する方法が採られている。
しかしながら、前記方法では型枠を造り、生コンクリートを流し込み、これを養生させて硬化させるだけでも多くの手間と時間と費用がかかる。さらに、現場で大型建築物の型枠の隅々まで生コンクリートを均一に充填させて、ひびやクラック等の欠陥がないものを造ることは技術的に非常に困難である。
また、簡単な構造で、施設を組み立て可能な簡易建築物の一つとして、特開平１１−６２２８８（先願１）が提案されている。先願１は、主に倉庫として使用される簡易建築物に関するものであり、建築躯体となる骨組みにシートを張設し、このシートの外側に断熱材を取り付け、さらに断熱材の外側に防水性の外側シートを張設するものであり、コンクリートを使用しないので長時間の養生を必要としない。
しかし、この先願１には以下のような問題点がある。
ａ．建築躯体となる骨組みは、各種パイプや鋼材を接続して組み立てるので、作業に手間がかかる。
ｂ．骨組みにシートを張設して、シート外側に断熱材を貼り付け、さらに断熱材外側にシートを取り付けるので、作業が煩雑で非常に手間がかかる。
【０００３】
また、パネルを並べて簡単に施設を組み立て可能な簡易建築物として、実開平４−２９９９４（先願２）が提案されている。先願２は、飼料を貯蔵するための簡易サイロに関するものであり、垂直面から約２０度の角度を有する側壁と支えよりなるパネルを順次連絡し、左右両側に並列させ、上部をシートで掩蓋し、長い鉄管によりシートを緊締してなるものである。
しかし、この先願２は、左右の側壁と、その上部にシートを鉄管により緊締したのみであり、下記のような問題点がある。
ｃ．パネルを左右両側に並列して、パネル間にシートを被せただけの簡易サイロであり、建築物としての強度は備えていない。
ｄ．壁が左右両側に２列並べられただけであるので、収容物の重さが壁にかかった時に、壁が倒れてしまう虞れがある。
ｅ．壁際に土を盛って倒れるのを防ぐ実施例が示されているが、土を盛るのは大変な手間である。
ｆ．パネルを左右両側に並べて外壁としただけであるので、風雨が吹き込みやすく、収容物が施設外に流れ出てしまう虞れがある。
そこで、本発明では上記問題点に鑑み、現場での施工手間を極力軽減し、工期の短縮が図れ、費用負担も少なく、且つ、建築物としての機能と強度を十分に備えた堆肥舎、簡易車庫、倉庫等の簡易建築物を提供することを目的とする。
【０００４】
【発明が解決しようとする課題】
解決しようとする課題は、第１には、現場での施工手間を極力軽減し、工期の短縮が図れ、費用負担も少なく、且つ、堆肥舎、簡易車庫、倉庫等の建築物としての機能と強度を十分に備えた簡易建築物を、第２には、さらに、躯体構造強度が高い簡易建築物を、第３には、さらに、組み立てが容易で迅速に行える簡易建築物を、第４には、さらに、現場への輸送が一度に大量に運び込める簡易建築物を提供することにある。
【０００５】
【課題を解決するための手段】
本発明は前記した課題を達成するため、予め工場生産される壁パネルを用いて組み立てられる簡易建築物において、壁パネルは断面形状が略Ｌ字状若しくは略逆Ｔ字状を呈し、この壁パネル同士を接続して建築物の壁面部を形成し、該壁面部上縁に小屋組み部を載置して接続し、小屋組み部上に屋根部を形成してあることを特徴とする。
また本発明では、小屋組み部が屋根部と予め組み付けられた一体化構造であることを特徴とする。
また本発明では、小屋組み部がトラス構造であることを特徴とする。
また本発明では、小屋組み部のトラス構造が平面トラス構造であることを特徴とする。
【０００６】
本発明における壁パネルは予め工場で生産され、高品質なものが提供されることになる。壁パネルの材質は主にコンクリート製（内部に鉄筋等の補強材を配するものを含む）であるが、他にも、強化プラスチック、金属等の建築物として強度を保てるものであれば、特に限定されない。この断面形状が略Ｌ字状若しくは略逆Ｔ字状の壁パネルは、少なくとも地面（下地）に設置される基台部と、壁を形成する起立壁部を有し、単独で立設可能なものになる。この壁パネルには平面視Ｌ状のコーナー用のものも含まれる。起立壁部は垂直でも倒れない程度の角度がついていても良い。壁パネルの大きさは、移送および設置の際に支障のない程度の大きさになる。壁パネルは建築物の外壁だけでなく、建物内部の境界壁部としても使用されるものである。建築物内部は境界壁部によって適当な数の独立空間状の収容空間部に区画形成しても良い。
地面（下地）は土を押し固めるだけでも良いが、予めコンクリートを打設しておいたほうが平坦面を得られ易く、収容物を直に土の上に置くより好ましい。基台部は地面（下地）の上に載っているだけでも良いし、しっかりと固定するために地面（下地）に一部埋め込んでも良いし、基台部下面に杭を設けるようにしても良いし、あるいは地面（下地）との間に接着層を介在させても良い。壁パネル同士の連結には、ボルト・ナットによる締着、突き合わせ、係合等の公知の連結手段が用いられる。
床面は、壁パネルを設置したままの状態でも良いが、モルタル、その他の表面仕上げ材により表面を平滑に仕上げるのが好ましい。
小屋組み部は建物の屋根部分の骨組みであり、一般的には、棟木、母屋、垂木、小屋束、小屋貫、小屋梁等で構成される。トラス構造は、三角形を基本単位とした所要の強度を得られるようにフレームを組んだ構造で、２次元のものを平面トラス構造とし、３次元のものを立体トラス構造としてあり、いずれを用いても良い。また、前記構造の小屋組みをそれぞれ平面トラス、立体トラスとする。なお、所要の強度が得られれば一部分のフレームを省略しても良い。この小屋組み部は予め工場で組み立てておいても良い。壁パネルと小屋組み部の接続は、壁パネル上部と小屋組み部の下フレーム（下弦）若しくはジョイントに接続手段を設けて接続する。接続手段は、ピン状の突起を下フレーム（下弦）若しくはジョイントに設けた接続用の孔に差し込むようにしても良いし、アンカー接合しても良いし、或いは、壁パネル上部に金具を設置し、小屋組み部の下フレーム若しくはジョイントと溶接しても良く、特に限定されない。また、小屋組み部が平面トラス構造である場合、外壁部および／または境界壁部の上面部に沿ってトラスのフレームを設置するようにしても良い。
屋根部は、屋根材と、この屋根材を小屋組み部上に固定する固定具等を含み、小屋組み部の上方に設置される部分を指す。屋根材は、縦葺き屋根板、横葺き屋根板、折板、瓦等の屋根面を形成する外装材を指す。かかる屋根の形状は任意であり、片流れ、切り妻等どのような形状でも良く、特に限定されない。屋根材の材質は、金属、タイル、樹脂、セメント等の窯業系素材等が挙げられるが、金属製やアクリル樹脂製等の軽量なものが好ましい。この屋根部は、予め工場で小屋組み部と一体化された態様の屋根パネルとしても良いし、現場で接続しても良い。屋根パネルは必ずしも屋根面全面を覆う１枚のパネルで形成する必要はなく、移送や施工に際して取り扱い易いように適当な大きさのものとし、現場で接続するものとしても良い。
【０００７】
【発明の実施の形態】
図１の（ａ）〜（ｄ）には本発明の簡易建築物における壁パネルの一例を示しており、壁パネル２Ａ〜２Ｄは、基台部３と、基台部３上に立ち上がる起立壁部４とで形成してある。（ａ）に例示している壁パネル２Ａは基台部３と起立壁部４からなる断面形状が略Ｌ字状のパネル形状に、（ｂ）に例示している壁パネル２Ｂは基台部３と起立壁部４からなる断面形状が略逆Ｔ字状のパネル形状に、（ｃ）に例示している壁パネル２Ｃは基台部３と起立壁部４からなる断面形状が略Ｌ字状で平面視Ｌ状のコーナー用のパネル形状に、（ｄ）に例示している壁パネル２Ｄは基台部３と起立壁部４からなる断面形状が略逆Ｔ字状で平面視Ｌ状のコーナー用のパネル形状に、それぞれ成形してある。
【０００８】
図２〜図４には本発明の簡易建築物における実施の１形態を例示しており、この簡易建築物１は、壁パネル２Ａと壁パネル２Ｂを組み付けた躯体５と、躯体５上に載置して接続した小屋組み部６と、小屋組み部６上に葺いた屋根部７とで形成してある。
躯体５は、断面形状が略Ｌ字状の壁パネル２Ａを基台部３がそれぞれ外側に向いて収容空間相当の間隔をおいて対峙する左右並列状に配置して、この前後方向に接続して並ぶ起立壁部４により左右の外壁部５ａを形成すると共に、左右の外壁部５ａの前縁および後縁の内側に断面形状が略逆Ｔ字状の壁パネル２Ｂを起立壁部４が外壁部５ａと直角に交差して且つ基台部３が前後方向に向くように配置して、前後の外壁部５ｂを形成してある。
そして、躯体５には、前後の外壁部５ｂ間における左右の外壁部５ａ内側にそれぞれ複数の壁パネル２Ｂを起立壁部４が外壁部５ａと直角に交差して且つ基台部３が前後方向に向くように配置して、壁パネル２Ｂの起立壁部４による境界壁部５ｃを形成することで、躯体５内の左右の収容空間部８を前後に分割された複数の独立空間に形成してある。前後の外壁部５ｂにおける左右の起立壁部４間には出入り口部９を形成してあると共に、この前後の出入り口部９から左右の境界壁部５ｃ間の通路１０に出入りして、複数の独立空間状の収容空間部８に収容物を個別に出し入れ可能に形成してある。
また、躯体５における床面１１は、左右の外壁部５ａ、前後の外壁部５ｂ、境界壁部５ｃの各基台部３がモルタルで覆われて埋設された床表面に仕上げてある。
【０００９】
小屋組み部６は立体トラス構造のもので、傾斜状の下弦フレーム６ａ下端のジョイント６ｂに設けた接続用の孔に各起立壁部４上縁のピン状の突起１２が差し込まれていることにより、小屋組み部６が躯体５上に載置した状態に接続している。
そして、かかる小屋組み部６における水平状の上弦フレーム６ｃには屋根材７ａを敷設して屋根部７を葺いてある。
【００１０】
図５には本発明の簡易建築物における躯体の他の実施例を示しており、躯体５は、断面形状が略Ｌ字状の壁パネル２Ａを基台部３が外側に向くように一列に配置して、この前後方向に接続して並ぶ起立壁部４により外壁部５ａを形成すると共に、外壁部５ａの前縁および後縁の内側に断面形状が略逆Ｔ字状の壁パネル２Ｂを起立壁部４が外壁部５ａと直角に交差して且つ基台部３が前後方向に向くように配置して、前後の外壁部５ｂを形成してある。
そして、躯体５には、前後の外壁部５ｂ間における外壁部５ａ内側にそれぞれ複数の壁パネル２Ｂを起立壁部４が外壁部５ａと直角に交差して且つ基台部３が前後方向に向くように配置して、壁パネル２Ｂの起立壁部４による境界壁部５ｃを形成することで、躯体５内に前後に区画された四つの収容空間部８を形成してある。この各収容空間部８は、左横の出入り口部９から収容物を個別に出し入れ可能に形成してある。
【００１１】
図６には本発明の簡易建築物における躯体の他の実施例を示しており、躯体５は、断面形状が略Ｌ字状の壁パネル２Ａを基台部３が外側に向くように一列に配置すると共にこの壁パネル２Ａの前後に断面形状が略Ｌ字状で平面視Ｌ状のコーナー用の壁パネル２Ｃ（または断面形状が略逆Ｔ字状で平面視Ｌ状のコーナー用の壁パネル２Ｄ）を配置して、この前後方向に接続して並ぶ起立壁部４により外壁部５ａを形成し、外壁部５ａの前縁および後縁すなわちコーナー用の壁パネル２Ｃ側縁の内側に断面形状が略Ｔ字状の壁パネル２Ｂを起立壁部４が外壁部５ａと直角に交差して且つ基台部３が前後方向に向くように配置して、前後の外壁部５ｂを形成してある。
そして、躯体５には、前後の外壁部５ｂ間における外壁部５ａ内側に複数の壁パネル２Ｂを起立壁部４が外壁部５ａと直角に交差して且つ基台部３が前後方向に向くように配置して、壁パネル２Ｂの起立壁部４による境界壁部５ｃを形成することで、躯体５内に前後に区画された２つの収容空間部８を形成してある。この各収容空間部８は、左横の出入り口部９から収容物を個別に出し入れ可能に形成してある。
【００１２】
図７には本発明の簡易建築物における躯体の他の実施例を示しており、躯体５は、断面形状が略Ｌ字状の壁パネル２Ａを基台部３が突き合った左右並列状態に並べると共にこれを起立壁部４が背中合わせに隣り合うようにして複数列配置して、この前後方向に接続して並ぶ外側の起立壁部４により左右の外壁部５ａを形成すると共に左右の外壁部５ａの間に前後方向に接続して並ぶ中間の起立壁部４による境界壁部５ｃを形成してある。この境界壁部５ｃは断面形状が略逆Ｔ字状の壁パネル２Ｂで形成しても良い。
かかる躯体５には、左右に対峙する外壁部５ａと境界壁部５ｃとの間および左右に対峙する境界壁部５ｃ間にそれぞれ収容空間部８を左右並列状に形成してある。この各収容空間部８は、一方の出入り口部９から収容物を搬入して、他方の出入り口部９より収容物を搬出可能に形成してある。
【００１３】
図８には本発明の簡易建築物における実施の他の１形態を例示しており、構成は前記した図２の態様のものと基本的に同一であるため、共通している構成の説明は符号を準用して省略し、相違する構成について説明する。
小屋組み部６は平面トラス構造のもので、左右の外壁部５ａに跨って載置してあると共に前後の外壁部５ｂの上縁および境界壁部５ｃの上縁に沿ってそれぞれ水平状下弦フレーム６ｄが載った状態に接続している。
そして、かかる小屋組み部６における山形状の上弦フレーム６ｅには屋根材７ａを敷設して切妻状の屋根部７を葺いてある。
【００１４】
次に、前記した簡易建築物の施工手順例を図２の態様のもので説明する。
第１工程：地面に基礎割石を敷き並べ、その上にコンクリートを打設する。
第２工程：コンクリート上にモルタルを流して表面を平滑に処理する。
第３工程：壁パネル２Ａ、２Ｂを所定位置に並べ、基台部３をモルタルで覆って床面を平滑に仕上げて、外壁部５ａ、５ｂおよび境界壁部５ｃからなる躯体５を形成する。
第４工程：躯体５上に小屋組み部６を載置・接続する。
第５工程：小屋組み部６上に屋根部７を形成する。
また、前記第２工程において、コンクリートおよびモルタルの養生前に鉄筋アンカーを立設して壁パネル２Ａ、２Ｂを固定しても良いし、養生後に後施工アンカーを立設して壁パネル２Ａ、２Ｂを固定しても良く、また、壁パネル２Ａ、２Ｂそのものに固定用の杭を設けてもよく、この壁パネル２Ａ、２Ｂは基台部３を何らかの方法で固定するのが好ましい。さらに、前記施工例で、小屋組み部６と屋根部７を予め工場で接続して屋根パネル１３としておけば第５工程が短縮化されることになる。
【００１５】
【発明の効果】
Ａ．請求項１により、予め工場で生産された壁パネルを現場で連結して外壁や境界壁等の壁面部を形成して小屋組み部を載置・接続して屋根部を葺くので、施工の手間が少なく、工期の短縮が図れ、費用負担も少ない堆肥舎、簡易車庫、倉庫等の簡易建築物を造れる。
壁パネルは工場で生産されるので、ひび割れやクラックのない高品質な製品を提供できる。若し欠陥があった場合には、品質検査で事前に除くことができる。
建築物内部を境界壁部によって区画形成した場合、収容物の種類、搬入日の違い等によって置き場所を明確に区別することができる。
壁パネルで境界壁部を作れるので、必要が生じた場合に簡単に区画を追加或いは除去できる。
基台部を地面（基礎）に埋めた場合には、しっかりと固定される。また、基台部に杭を設けた場合には、地面にしっかりと固定されて安定する。また、基台部と基礎間にモルタル等の接着層を介在させた場合、基礎にしっかりと固定され安定することになる。床面をモルタル等で仕上げた場合には、壁パネル間の目地等の隙間を埋めることで平滑な床面が得られる。
Ｂ．請求項２により、小屋組み部と屋根部が予め組み付けられた屋根パネルを壁パネル上に載置・接続するだけで、簡単に堆肥舎、簡易車庫、倉庫等の簡易建築物を構築できる。小屋組み部と屋根部との接続を工場で行なえるので高品質な製品が得られ且つ高所作業が軽減されるので作業の安全性が増す。
Ｃ．請求項３により、トラス構造であることによって構造強度が向上する。特に立体トラス構造とした場合には荷重を分散できる。
Ｄ．請求項４により、平面（２次元）トラス構造であるので、壁パネル上面に沿うように設置でき、重量負担を壁パネルに分散できる。そして輸送の際、トラックの荷台に重ねて並べられるので、嵩張らず一度に大量に運ぶことができる。
【図面の簡単な説明】
【図１】本発明の簡易建築物における壁パネルの一例を示しており、（ａ）〜（ｄ）は各斜視図。
【図２】本発明の簡易建築物における実施の１形態を例示している斜視図。
【図３】分解斜視図。
【図４】躯体の斜視図。
【図５】本発明の簡易建築物における躯体の他の実施例を示している斜視図。
【図６】本発明の簡易建築物における躯体の他の実施例を示している斜視図。
【図７】本発明の簡易建築物における躯体の他の実施例を示している斜視図。
【図８】本発明の簡易建築物における実施の他の１形態を例示している斜視図。
【符号の説明】
１　簡易建築物
２Ａ〜２Ｄ　壁パネル
３　基台部
４　起立壁部
５　躯体
５ａ、５ｂ　外壁部（壁面部）
５ｃ　境界壁部（壁面部）
６　小屋組み部
６ａ、６ｄ　下弦フレーム
６ｂ　ジョイント
６ｃ、６ｅ　上弦フレーム
７　屋根部
７ａ　屋根材
８　収容空間部
９　出入り口部
１０　通路
１１　床面
１２　突起
１３　屋根パネル
【図１】
2004143843.tif 000003
【図２】
2004143843.tif 000004
【図３】
2004143843.tif 000005
【図４】
2004143843.tif 000006
【図５】
2004143843.tif 000007
【図６】
2004143843.tif 000008
【図７】
2004143843.tif 000009
【図８】
2004143843.tif 000010